(57)【要約】  第１エアインタフェース技術と第２エアインタフェース技術とにより通信可能なマルチモード装置において、複数のシステムのうち１つを探索する代表的方法を開示する。この方法は、ＷＬＡＮシステム等の前記エアインタフェース技術のうち一方の技術に対する初期システム探索期間を記憶し、当該ＷＬＡＮシステムに対するユーザ設定のシステム探索期間を示すユーザ入力を受け付け、該ユーザ設定のシステム探索期間を記憶し、ＷＬＡＮサービスに対応するシステム探索イベントを検出し、該システム探索イベントに応じてＷＬＡＮサービスの探索を行い、前記ユーザ設定の探索期間終了後にＷＬＡＮシステム探索を終了することを含む。
2009532986.tif 000002
【特許請求の範囲】
【請求項１】
第１エアインタフェース技術と第２エアインタフェース技術とにより通信可能なマルチモード装置において、複数のシステムのうち１つを探索する方法であって、
前記第１および第２エアインタフェース技術のうち一方の技術に対する初期システム探索期間を記憶し、
前記第１および第２エアインタフェース技術のうち前記一方の技術に対してユーザ設定のシステム探索期間を示すユーザ入力を受け付け、
前記ユーザ設定のシステム探索期間を記憶し、
前記第１および第２エアインタフェース技術のうち前記一方の技術に対応するシステム探索イベントを検出し、
前記システム探索イベントに応じて、前記第１および第２エアインタフェース技術のうち前記一方の技術に基づくシステムの探索を行い、
前記ユーザ設定の探索期間が終了しても、前記探索によって前記第１および第２エアインタフェース技術のうち前記一方の技術に基づくシステムを検出できない場合、前記探索を終了すること
を含む方法。
【請求項２】
前記初期システム探索期間を前記ユーザ設定のシステム探索期間で上書きすることをさらに含む請求項１に記載の方法。
【請求項３】
前記ユーザ設定のシステム探索期間を最長システム探索期間と比較することをさらに含み、
前記ユーザ設定のシステム探索期間が前記最長システム探索期間を超えていない場合にのみ、前記ユーザ設定のシステム探索期間を記憶することが実行される請求項１に記載の方法。
【請求項４】
更新されたシステム探索期間を含む更新メッセージを、前記第１および第２エアインタフェース技術のうち他方の技術によって受信し、
前記初期システム探索期間を前記更新されたシステム探索期間で上書きすることをさらに含む請求項１に記載の方法。
【請求項５】
前記第１および第２エアインタフェース技術のうち前記一方の技術は、無線ローカルエリアネットワーク用エアインタフェース技術からなり、
前記第１および第２エアインタフェース技術のうち他方の技術は、無線ワイドエリアネットワーク用エアインタフェース技術からなる請求項１に記載の方法。
【請求項６】
前記無線ワイドエリアネットワーク用エアインタフェース技術は、セルラエアインタフェース技術からなる請求項５に記載の方法。
【請求項７】
前記ユーザ設定のシステム探索期間が規定されていない場合、前記初期システム探索期間の終了後に前記探索を終了することをさらに含むさらに含む請求項１に記載の方法。
【請求項８】
第１エアインタフェース技術において通信するように構成された第１アンテナに接続された第１送受信機と、
第２エアインタフェース技術において通信するように構成された第２アンテナに接続された第２送受信機と、
メモリと、
前記メモリに接続され、命令を実行するプロセッサとを備え、
前記命令は
前記第１および第２エアインタフェース技術のうち一方の技術に対する初期システム探索期間を記憶させ、
前記第１および第２エアインタフェース技術のうち前記一方の技術に対するユーザ設定のシステム探索期間を示すユーザ入力を受け付け、
前記ユーザ設定のシステム探索期間を記憶させ、
前記第１および第２エアインタフェース技術のうち前記一方の技術に対応するシステム探索イベントを検出し、
前記ユーザ設定のシステム探索期間に対応する期間、前記第１および第２エアインタフェース技術のうち前記一方の技術に基づくシステムの探索を行い、
前記ユーザ設定の探索期間が終了しても、前記探索によって前記第１および第２エアインタフェース技術のうち前記一方の技術に基づくシステムを検出できない場合、前記探索を終了するマルチモード装置。
【請求項９】
前記命令は、前記初期システム探索期間を前記ユーザ設定のシステム探索期間で上書きすることをさらに含む請求項８に記載の装置。
【請求項１０】
前記命令は、前記ユーザ設定のシステム探索期間を最長システム探索期間と比較することをさらに含み、
前記ユーザ設定のシステム探索期間が前記最長システム探索期間を超えていない場合にのみ、前記ユーザ設定のシステム探索期間を記憶させることが実行される請求項８に記載の装置。
【請求項１１】
前記命令は
前記第１および第２エアインタフェース技術のうち他方の技術によって、更新されたシステム探索期間を含む更新メッセージを受信し、
前記初期システム探索期間を前記更新されたシステム探索期間で上書きすることをさらに含む請求項８に記載の装置。
【請求項１２】
前記第１および第２エアインタフェース技術のうち前記一方の技術は、無線ローカルエリアネットワーク用エアインタフェース技術からなり、
前記第１および第２エアインタフェース技術のうち他方の技術は、無線ワイドエリアネットワーク用エアインタフェース技術からなる請求項８に記載の装置。
【請求項１３】
前記無線ワイドエリアネットワーク用エアインタフェース技術は、セルラエアインタフェース技術からなる請求項１２に記載の装置。
【請求項１４】
前記命令は、前記ユーザ設定のシステム探索期間が規定されていない場合、前記初期システム探索期間の終了後に前記探索を終了することをさらに含む請求項８に記載の装置。
【発明の詳細な説明】
【技術分野】
【０００１】
本発明は無線通信装置の分野に関する。より詳細には、複数のエアインタフェース技術間で通信可能な無線通信装置のシステムスキャン技術に関する。
【背景技術】
【０００２】
携帯電話等の典型的な無線通信装置は、メモリと送受信機とに接続されたプロセッサで構成され、それぞれの部材は１つのケースに格納されている。バッテリ等の携帯電源は、プロセッサ、メモリおよび送受信機に接続され、電力を供給する。スピーカーおよびマイクも当該ケース内に格納され、当該無線通信装置のユーザに対して音響信号を送受信する。無線通信装置は、送受信機に接続されたアンテナを介して、特定の無線周波数（“ＲＦ”）帯域において電磁（“ＥＭ”）エネルギーを送受信することにより情報を伝達する。
【０００３】
最近では、複数のエアインタフェース技術間で通信を行う移動通信装置が開発されている。例えば、携帯電話技術と無線ローカルエリアネットワーク（“ＷＬＡＮ”）技術の両方を実装する携帯電話機が設計されている。このような装置は、複数のエアインタフェースモードに対応できることから、マルチモード電話装置と呼ぶことができる。
【発明の開示】
【０００４】
マルチモード装置の設計および開発において、様々なエアインタフェース技術に関連したネットワーク、特にＷＬＡＮネットワークの存在を効率的に検出する機能が、重要な課題となっている。この課題が難しいとされる主な原因は、セルラネットワークのカバー範囲がいたるところにあるのに比べて、ＷＬＡＮのカバー範囲は狭く、局在する（つまり、地理的に極めて限定されている）ことにある。セルラカバー領域内におけるＷＬＡＮの全カバー範囲は比較的小さいので、通常、マルチモード装置が移動中にＷＬＡＮネットワークに遭遇することはない。ＷＬＡＮサービスを検出するにはかなりの電力を消費するため、ＷＬＡＮネットワーク検出のために継続的な探索を要する現在の技術では、マルチモード装置の限られた貴重な電源を消耗し、不都合である。
【０００５】
他の実施例において、ＷＬＡＮサービスを得るための一定の探索時間が設定されている。移動無線通信装置においては、ネットワークキャリアによって当該装置の機能および特質を制御するために、一般的に、（ユーザが変更することのできない）固定的な設定がされている。この制限は、システム探索等のシステムに関連する機能に特に適用されており、装置の動作を予測可能としている。この設定は、一定の探索時間を用いることで電力の節約に貢献するものの、短所もある。例えば、上述のように、装置が必要以上に長時間の探索を行い、携帯電源を必要以上に消費する場合がある。一方、他の状況においては、ＷＬＡＮサービスの探索があまりにも早く終了し、至近距離でのＷＬＡＮサービスの取得に失敗する場合もある。
【０００６】
このように、当該技術分野において、マルチモード無線通信装置において、システム探索またはスキャンを行う効率的且つ最適な方法が強く求められている。
【０００７】
第１エアインタフェース技術と第２エアインタフェース技術とにより通信可能なマルチモード装置において、複数のシステムのうち１つを探索する代表的方法を開示する。一実施形態によると、この方法は、ＷＬＡＮシステム等の前記エアインタフェース技術のうち一方の技術に対する初期システム探索期間を記憶し、当該ＷＬＡＮシステムに対するユーザ設定のシステム探索期間を示すユーザ入力を受け付け、該ユーザ設定のシステム探索期間を記憶し、ＷＬＡＮサービスに対応するシステム探索イベントを検出し、該システム探索イベントに応じてＷＬＡＮサービスの探索を行い、前記ユーザ設定の探索期間終了後にＷＬＡＮシステム探索を終了することを含む。
【０００８】
一実施形態によると、初期システム探索期間はユーザ設定のシステム探索期間で上書きされる。他の実施形態では、初期システム探索期間とユーザ設定のシステム探索期間の両方が記憶される。ユーザ設定のシステム探索期間をメモリに記憶する前に、ユーザ設定のシステム探索期間を最長システム探索期間と比較する実施形態もある。
【０００９】
一実施形態によると、この方法ではさらに、更新メッセージを、第１および第２エアインタフェース技術のうち他方の技術によって受信する。更新メッセージは、更新されたシステム探索期間を含んでもよい。受信に応じて、初期システム探索期間は、当該更新されたシステム探索期間で上書きされる。
【００１０】
本発明の他の特徴および効果は、以下の詳細な説明および添付の図面を検討することにより、当業者に容易に明らかになるであろう。
【図面の簡単な説明】
【００１１】
【図１】本発明の一実施形態に係る代表的なマルチモード無線通信装置を含むネットワーク構成を示す。
【図２】本発明の様々な実施形態に係るシステム探索パラメータを格納する代表的なデータ構造を示す。
【図３】本発明の様々な実施形態に係るシステム探索パラメータを格納する代表的なデータ構造を示す。
【図４】本発明の一実施形態に係るマルチモード装置のためのシステム探索の代表的なフローチャートを示す。
【発明を実施するための最良の形態】
【００１２】
まず、図１を参照する。図１は、本発明の一実施形態に係る代表的なマルチモード無線通信装置１１０を含むネットワーク構成１００を示す。一例として、マルチモード装置１１０は、２以上の無線アクセス技術において通信可能な携帯電話とすることができる。一実施形態によると、マルチモード装置１１０は、例えば符号分割多元接続（ＣＤＭＡ）、広域移動通信システム（ＧＳＭ）、ＷＣＤＭＡまたは他の無線ワイドエリアネットワーク（ＷＷＡＮ）規格等に準拠した複数のセルラネットワーク１１２のうち１つにおいて通信可能であり、さらに、例えば無線ローカルエリアネットワーク（ＷＬＡＮ）プロトコルに準拠した複数のパケットデータネットワーク１１４のうち１つにおいて通信可能である。
【００１３】
図１に示すように、マルチモード装置１１０は、メモリ１１８、第１送受信機１２０、第２送受信機１２２に接続されたプロセッサ１１６で構成される。メモリ１１８にはプログラムが格納され、格納されたプログラムをプロセッサ１１６が実行することで、マルチモード装置１１０が動作する。マルチモード装置１１０の動作のより完全な詳細は図２〜図４を用いて後述する。第１送受信機１２０はアンテナ１２４に接続され、ネットワーク１１２と通信する。第２送受信機１２２はアンテナ１６と接続され、ネットワーク１１４と通信する。プロセッサ１１６は、例えばディスプレイ装置、入力キー、マイク、スピーカー等の１以上のユーザインタフェース（ＵＩ）装置（不図示）とさらに接続可能なインタフェース１２８にも接続されている。
【００１４】
次に、図２および図３を参照する。図２および図３はそれぞれ、本発明の様々な実施形態に係るシステム探索パラメータを記憶する代表的なデータ構造２００、３００を示す。図１に関連して上述したように、マルチモード装置１１０のメモリ１１８は、プロセッサ１１６が動作中に実行するプログラムを格納している。メモリ１１８は、マルチモード装置１１０の動作の設定に用いられる多数のセッティングまたはパラメータをさらに記憶してもよい。同様に、メモリ１１８は、システム探索パラメータを示すデータ構造２００（またはデータ構造３００）を記憶する。一般的に、地理情報（“ＧＥＯ”）関連タグ、認証、および承認パラメータ等の他のＷＬＡＮネットワークパラメータもメモリ１１８に記憶される。
【００１５】
データ構造２００は、一実施形態に係るシステム探索パラメータを記憶するための代表的な構成を示す。より詳細には、データ構造２００は、マルチモード装置１１０の送受信機１２０、１２２に関連した２つのエアインタフェース技術のうち１つに対するシステム探索期間パラメータを示す。この例では、データ構造２００は、ＷＬＡＮインタフェース１２２に対するシステム探索期間パラメータを示す。従って、データ構造２００の参照２２２は、例えば“ＷＬＡＮ”または送受信機１２２を識別する参照を含む。パラメータ２２４Ａ〜２２４Ｅはサービスセット識別子（“ＳＳＩＤ”）を示し、パラメータ２２６Ａ〜２２６Ｅは対応するＳＳＩＤ２２４Ａ〜２２４Ｅのシステム探索期間を示し、パラメータ２２８Ａ〜２２８Ｅは、対応するシステム探索期間２２６Ａ〜２２６Ｅにユーザ設定の値を用いることが可能かどうかを示す。
【００１６】
一例としては、システム探索期間２２６Ａは、ＳＳＩＤ２２４Ａに関連したＷＬＡＮシステムの探索のための初期システム探索期間を記憶するために使用され得る。また、使用可能フラグ２２８Ａは、システム探索期間２２６Ａをユーザ設定のシステム探索期間に置き換えることが可能かどうかを示す。この実施形態では、使用可能フラグ２２８Ａが設定されている場合、ユーザはＳＳＩＤ２２４Ａのシステム探索期間パラメータ２２６Ａに、ユーザが設定した値を入力して記憶できる。各ＳＳＩＤ２２４Ｂ〜２２４Ｅは、対応するシステム探索期間２２６Ｂ〜２２６Ｅおよび使用可能フラグ２２８Ｂ〜２２８Ｅを有する。すべてのＳＳＩＤに対して同じ初期システム探索期間を用いる場合もあるが、データ構造２００では、それぞれのＳＳＩＤに対して個別の初期システム探索期間を設定できる。
【００１７】
動作の際、プロセッサ１１６が起動してシステム探索アルゴリズムを実行し、初期またはユーザ設定の対応するパラメータ２２６Ａ〜２２６Ｅによって規定されたシステム探索期間に対するＳＳＩＤ２２４Ａ〜２２４Ｅに関連するシステムの探索および取得を試みる。マルチモード装置１１０が提供される際、および／または、マルチモード装置１１０がネットワークキャリアによる次の更新（例えば、セルラネットワーク１１２を介しての無線サービスおよび修復メッセージ）の際に更新される場合、ＳＳＩＤ値２２４Ａ〜２２４Ｅ、初期探索期間２２６Ａ〜２２６Ｅおよび使用可能フラグ２２８Ａ〜２２８Ｅは予め設定されていてもよい。実施形態によっては、特定のＳＳＩＤ（例えば、２２４Ｄ〜２２４Ｅ）はユーザ設定のものまたは“臨時”のものとして識別されてもよく、その場合、ネットワークキャリアからのメッセージは、関連した値を修正したり更新したりしない。
【００１８】
以下に図４を用いてより詳細に説明するように、ユーザは、システム探索期間の規定に関して、マルチモード装置１１０の周辺の状態に基づいてより厳密にコントロールできる。そのため、システム探索に用いる様々なアルゴリズムが、データ構造２００の持つ柔軟性を利用できる。
【００１９】
図３に示すデータ構造３００は、一実施形態に係るシステム探索パラメータを記憶するための他の代表的な構成を示す。図２に示すデータ構造２００と同様に、一例としては、データ構造３００は、図１のＷＬＡＮインタフェース１２２のシステム探索期間パラメータを示す。従って、データ構造３００の参照３２２は、例えば、“ＷＬＡＮ”または送受信機１２２を識別する参照を含む。パラメータ２２４Ａ、２２４Ｂは特定のＳＳＩＤを示し、パラメータ２２６ＡはＳＳＩＤ２２４Ａに対する初期システム探索期間を示し、パラメータ２２６ＢはＳＳＩＤ２２４Ａに対するユーザ設定のシステム探索期間を示す。パラメータ３２８Ａは、ユーザ設定のシステム探索期間２２６Ｂにおいて入力および／または変更が可能であるかを示す。同様に、パラメータ２２６ＣはＳＳＩＤ２２４Ｂに対する初期システム探索期間を示し、パラメータ２２６ＤはＳＳＩＤ２２４Ｂに対するユーザ設定のシステム探索期間を示し、パラメータ３２８Ｂは、ユーザ設定のシステム探索期間２２６Ｄにおいて入力および／または変更が可能であるかを示す。データ構造３００がデータ構造２００と異なる点は、例えユーザ設定のシステム探索期間データ３２６Ｂ、３２６Ｄが記憶されても、初期システム探索期間データ３２６Ａ、３２６Ｃは保持され得ることである。データ構造２００、３００は単に例示にすぎず、本発明に基づいた、システム探索パラメータを記憶する他のデータ構造を用いてもよいことに留意されたい。
【００２０】
さらに複雑な例では、メモリ１１８は、探索ウィンドウ内での探索の頻度等の追加の探索パラメータを記憶できる。さらに、メモリ１１８は、（探索頻度が時間的に一定でない場合の）探索頻度減衰係数も記憶できる。これらの場合、ユーザは、１以上のＳＳＩＤに対して、ユーザ設定の探索頻度および／または探索減衰係数を設定し、データ構造２００、３００の対応するパラメータに記憶できてもよい。
【００２１】
また、データ構造２００、３００の例では、特定のＳＳＩＤにユーザ設定の探索期間が一意に設定されたが、他の実施形態では、すべてのＳＳＩＤの探索に対する探索期間または探索ウィンドウに対応するように、ユーザ設定の探索期間を、特定のシステム探索イベントに対して設定できることに留意されたい。
【００２２】
次に、図４を参照する。図４は、本発明の一実施形態に係るマルチモード装置のシステム探索の代表的なフローチャート４００を示す。図４に示すマルチモードシステム探索技術は、例えば、図１のマルチモード装置１１０によって実行できる。本明細書を利用する当業者にとって明らかであると思われる詳細や特徴は、図４のフローチャート４００に含まれていない。例えば、この技術分野において知られているように、１ステップは１以上のサブステップで構成されてもよい。本発明の一実施形態はフローチャート４００のブロック４０２〜４１８によって十分に説明されるが、本発明の他の実施形態では、フローチャート４００に示されたものとは異なる動作を用いてもよい。
【００２３】
ブロック４０２で、マルチモード装置１１０のメモリ１１８にＷＬＡＮシステムを取得するための初期システム探索期間が記憶される。例えば、初期探索期間は、図２のデータ構造２００のパラメータ２２６Ａ〜２２６Ｅ、または図３のデータ構造３００のパラメータ３２６Ａ、３２６Ｃに記憶される。上述のように、初期システム探索期間は、マルチモード装置１００の設定中に、予め設定されてもよい。
【００２４】
ブロック４０３で、マルチモード装置１１０は、セルラネットワーク１１２を介して更新メッセージを受信する。更新メッセージは、１以上の初期システム探索期間の更新またはブロック４０２において予め記憶されているフラグの更新を含んでもよく、かつ／または１以上の新規のシステム探索パラメータセット（ＳＳＩＤ、システム探索期間、使用可能フラグ）を含んでもよい。受信した更新メッセージに応じて、プロセッサ１１６は、更新したシステム探索パラメータおよび／または新規のシステム探索パラメータをメモリ１１８（例えば、データ構造２００、３００）に記憶させる。
【００２５】
ブロック４０４で、マルチモード装置１００は、ユーザ設定のシステム探索期間に関するユーザ入力を受け付ける。ネットワークキャリアまたはマルチモード電話機の製造者等によって可能とされている場合、ユーザは、特定のＳＳＩＤに対してユーザ設定のシステム探索期間を指定できる。図２および図３に関連して説明したデータ構造の例では、ユーザが１以上のシステムに対してユーザ設定のシステム探索期間を指定できるかどうかを示す使用可能フラグを設定できる。ユーザ設定のシステム探索期間に関するユーザ入力は、ディスプレイ画面を介してユーザに示されるメッセージに応じて、例えばキーパッド、タッチスクリーンディスプレイ等の入出力装置を介して受け付けられる。
【００２６】
判断ブロック４０６で、受信したユーザ設定のシステム探索期間と最長探索期間を比較する。例えば、最長探索期間は、ネットワーク１１２のネットワークキャリアにより設定され、マルチモード装置１１０の設定においてメモリ１１８に記憶することができ、かつ／またはネットワーク１１２上で無線メッセージにより更新できる。例えば、ネットワークキャリアが、特定のＳＳＩＤの信号長、カバー範囲、負荷等を示す更新された情報を取得する場合、ネットワークキャリアが探索期間の更新を行ってもよい。ユーザ設定のシステム探索期間は、最長探索期間を超えない場合、ブロック４０８で、メモリ１１８に記憶される。他の実施形態、例えば、ユーザによる（無限の）連続探索指定を可能とすることが望ましい場合には、最長システム探索期間との比較を省略できる。ブロック４０６で、ユーザ設定のシステム探索期間が最長探索期間を超える場合、他の値を入力するようユーザに要求するようにしてもよい（不図示）。
【００２７】
ブロック４１０でシステム探索イベントが検出されると、ブロック４１２で、ＷＬＡＮサービスの探索および取得の試みが開始される。システム探索イベントの例としては、とりわけ、ユーザによるＷＬＡＮ探索のコマンド、セルラネットワーク１１２におけるネットワーク状態に基づいた探索自動開始イベント、ネットワーク１１２を通したネットワークキャリアによるコマンド、マルチモード装置１１０の起動などがある。
【００２８】
判断ブロック４１４でＷＬＡＮネットワーク１１４の取得、認証、承認に成功すると、システム探索はブロック４１８で終了し、マルチモード装置１１０はＷＬＡＮ無線装置として機能する。マルチモード装置１１０は、場合によっては、ＷＬＡＮ無線装置であると同時にセルラ無線装置として動作してもよいし、またはセルラ無線装置が周期的にのみ起動される場合はハイブリッドモードで動作してもよい。
【００２９】
判断ブロック４１４でＷＬＡＮネットワーク１１４の取得、認証、承認に成功しない場合、ブロック４１６で、システム探索期間を過ぎているかどうか判断する。現時点でのシステム探索期間の測定にはタイマが用いられてもよい。ユーザ設定のシステム探索期間が規定されていない場合、または、利用可能とされていない場合、現時点での探索期間は初期システム探索期間と比較される。一方、ユーザ設定のシステム探索期間が利用可能とされ、且つ、規定されている場合、現時点での探索期間はユーザ設定のシステム探索期間と比較される。（初期またはユーザ設定の）システム探索期間を超えている場合、ブロック４１８で、システム探索を終了する。それ以外の場合は、ブロック４１２で、ＷＬＡＮサービスの探索を続ける。一実施形態では、システム探索期間を超えることにより探索が終了すると、ユーザまたはセルラネットワーク１１２が新規の探索を開始するまでマルチモード装置１１０はＷＬＡＮサービスの新規探索を開始しない。
【００３０】
有利なことに、マルチモード装置のシステム探索は向上する。マルチモード装置１１０が利用可能である場合、ユーザには柔軟性が与えられ、それにより、ネットワークキャリアによる重要な装置設定の管理を保持しつつ、ユーザは、マルチモード装置１１０周辺の現在の状態に基づいて探索パラメータを設定できる。例えば、ユーザが探索期間を延長できることにより、探索期間を変更していなかったら早まって探索を終了していたであろう既知のカバー範囲においてＷＬＡＮサービスを取得できる。逆に、ユーザが、限られたＷＬＡＮサービスしかないことが明らかなエリアにおける探索期間を限定できることにより、不必要なシステム探索を著しく減少させ、それによって、貴重な携帯電源の使用を延長できる。
【００３１】
本発明の上記代表的な実施形態の説明から、様々な技術を用いて、本発明の範囲から逸脱することなく本発明の概念を実現することが可能であることは明白である。また、本発明は、特定の実施形態を参照して説明されているが、当業者には、発明の精神および範囲から逸脱することなく形態や詳細を変更することが可能であることは明らかである。上述の実施形態は、すべての点において例示的なものとして捉えられるべきであり、限定的なものとして捉えられるべきではない。また、本発明は、本明細書に記載の特定の代表的な実施形態に限定されるものではなく、発明の範囲から逸脱することなく、様々な再構成、変更、代替が可能であることを理解されたい。
【図１】
2009532986.tif 000003
【図２】
2009532986.tif 000004
【図３】
2009532986.tif 000005
【図４】
2009532986.tif 000006
【国際調査報告】
2009532986.tif 000007
2009532986.tif 000008